(57)【要約】【課題】  超広画角で広角端にて立体物が歪まず、フォーカシング時の収差変動が小さいズームレンズを提供すること。【解決手段】  物体側から像側へ順に、負の第１レンズ群Ｂ１、正の第２レンズ群Ｂ２を有し、前記第１レンズ群より像側にあるレンズ群Ｂａにてフォーカシングし、第１レンズ群Ｂ１の焦点距離をｆ１、第１レンズ群Ｂ１の厚さをＤ１、広角端におけるレンズ群Ｂａと像面との空気換算距離をＤａｗ、前記レンズ群Ｂａの焦点距離を各々適切に設定すること。【選択図】    図１
2020204635.tif 000002
【特許請求の範囲】
【請求項１】
物体側から像側へ順に、負の第１レンズ群Ｂ１、正の第２レンズ群Ｂ２を有し、
前記第１レンズ群より像側にあるレンズ群Ｂａにてフォーカシングし、
第１レンズ群Ｂ１の焦点距離をｆ１、第１レンズ群Ｂ１の厚さをＤ１、広角端におけるレンズ群Ｂａと像面との空気換算距離をＤａｗ、前記レンズ群Ｂａの焦点距離をｆａとしたとき、
−０．３＜ｆ１／Ｄ１＜０．０
０＜Ｄａｗ／Ｄ１＜０．３
−４．０＜｜ｆａ｜／ｆ１＜−２．４
なる条件式を満足することを特徴とするズームレンズ。
【請求項２】
前記第１レンズ群Ｂ１は、像側に凹面を向けた負の屈折力の第１レンズを有することを特徴とする請求項１に記載のズームレンズ。
【請求項３】
前記第１レンズ群Ｂ１は、３枚以上の負の屈折力のレンズを有することを特徴とする請求項１又は請求項２に記載のズームレンズ。
【請求項４】
前記第１レンズ群Ｂ１の第１レンズよりも像側に、アッベ数をνｄ１ｎとしたとき、
νｄ１ｎ＞６０
なる条件式を満足する負の屈折力のレンズを有することを特徴とする請求項１乃至請求項３の何れか一項に記載のズームレンズ。
【請求項５】
前記第１レンズ群Ｂ１は、１枚以上の正の屈折力のレンズを有し、前記第１レンズ群の最も物体側面と最も物体側にある正レンズの物体側面との距離をＤ１ｐ、広角端におけるレンズ全長をＬｗとしたとき、
０．２＜Ｄ１ｐ／Ｌｗ＜０．５
なる条件式を満足することを特徴とする請求項１乃至請求項４の何れか一項に記載のズームレンズ。
【請求項６】
前記第２レンズ群の焦点距離をｆ２としたとき、
−１．０＜ｆ１／ｆ２＜−０．２
なる条件式を満足することを特徴とする請求項１乃至請求項５の何れか一項に記載のズームレンズ。
【請求項７】
望遠端における第１レンズ群と第２レンズ群の合成焦点距離をｆ１２ｔ、望遠端におけるレンズ全長をＬｔとしたとき、
０．０＜｜ｆ１２ｔ｜／Ｌｔ＜１．０
なる条件式を満足することを特徴とする請求項１乃至請求項６の何れか一項に記載のズームレンズ。
【請求項８】
前記フォーカスレンズ群Ｂａは、最も像側にあることを特徴とする請求項１乃至請求項７の何れか一項に記載のズームレンズ。
【請求項９】
前記第１レンズ群Ｂ１の最も物体側面と前記フォーカスレンズ群Ｂａの最も像側面の曲率半径をそれぞれｒ１、ｒａとしたとき、
−１．０＜（ｒ１＋ｒａ）／（ｒ１―ｒａ）＜１．０
なる条件式を満足することを特徴とする請求項１乃至請求項８の何れか一項に記載のズームレンズ。
【請求項１０】
請求項１乃至請求項９の何れか一項に記載のズームレンズと、前記ズームレンズによって形成される像を受光する光電変換素子とを備えることを特徴とする撮像装置。
【請求項１１】
広角端における全系の焦点距離をｆｗ、広角端における最大像高をＹｗとしたとき、
１．４＜Ｙｗ／ｆｗ＜４．０
なる条件式を満足することを特徴とする請求項１０に記載の撮像装置。
【請求項１２】
広角端における撮影半画角をωｗとしたとき、
ωｗ＞６０°
なる条件式を満足することを特徴とする請求項１０又は請求項１１に記載の撮像装置。
【発明の詳細な説明】
【技術分野】
【０００１】
本発明は、ズームレンズ及びそれを有する撮像装置に関し、例えば銀塩フィルム用カメラ、デジタルスチルカメラ、デジタルビデオカメラ、監視用カメラ、ＴＶカメラ等の撮像装置に用いられる撮像光学系及びその撮像装置に関する。
【背景技術】
【０００２】
近年、撮像装置に用いられる光学系は、第１に、超広画角で画面周辺での視認性を超広画角で画面周辺での視認性を高めるために立体物が歪まない立体射影方式を採用することと、第２に、近距離物体へのフォーカシング時の収差変動が小さいことが要求されている。
【０００３】
１点目に関して、従来、ビデオカメラや車載用カメラなどにおいて、超広画角のために、負の第１レンズ群と、正の第２レンズ群を有するレトロフォーカス型のレンズ構成を採用することが知られている。加えて、超広画角で立体物の歪みを小さくするために、広角端にて立体射影方式を採用することが知られている（特許文献１）。立体射影方式では、広角端での焦点距離を小さくすることで、立体物がサジタル方向に圧縮または引伸ばされることを防いで立体物が歪まないようにしている方式である。
【０００４】
特許文献１には、物体側から像側へ順に、負の屈折力の第１レンズ群、開口絞り、正の屈折力の第２レンズ群からなり、立体射影方式での歪曲収差の小さい単焦点レンズが開示されている。
【０００５】
更に、２点目に関して、従来、広角レンズにおいてフォーカシング時の収差変動を小さくするために、物体側の第１レンズ群以外のレンズ群でフォーカシングを行うリアフォーカス方式が知られている。リアフォーカス方式では、軸外主光線の入射高さｈ／が大きく、軸上マージナル光線の入射高さｈが小さいために、広角レンズにおけるフォーカシング時の像面湾曲変動を補正しやすい方式である。
【０００６】
特許文献２には、物体側から像側へ順に、負の屈折力の第１レンズ群、正の屈折力の第２レンズ群、正の屈折力の第３レンズ群、負の屈折力の第４レンズ群からなり、第４レンズ群でフォーカシングしている画角８３°と広角な単焦点レンズが開示されている。
【先行技術文献】
【特許文献】
【０００７】
【特許文献１】特開２０１３−２５２５５号公報
【特許文献２】特開２０１６−９９５４３号公報
【発明の概要】
【発明が解決しようとする課題】
【０００８】
しかしながら、上述の特許文献に開示された従来技術では、下記２点が困難になる。
【０００９】
第１に、広角端にて立体射影方式を採用したレンズにて広角ズームレンズとするために、広角端における焦点距離を小さくすると、負の第１レンズ群と正の第２レンズ群の屈折力を強くなり、歪曲収差や非点収差を小さく保つことが困難になる。
【００１０】
特許文献１では、ズームレンズとしないことで、歪曲収差や非点収差を小さくできている。
【００１１】
第２に、レトロフォーカス型の超広角レンズは、近距離物体へのフォーカシング時の収差変動が大きくなることがある。これは、超広角なので、軸外光束の光線角度が大きく、物体距離無限遠と有限距離とで収差変動が大きくなるためである。
【００１２】
特許文献２では、超広角レンズとしないことで、フォーカシング時の収差変動を小さくできている。
【００１３】
そこで、本発明の目的は、超広画角で広角端にて立体物が歪まず、フォーカシング時の収差変動が小さいズームレンズを提供することを目的とする。
【課題を解決するための手段】
【００１４】
上記の目的を達成するために、本発明に係るズームレンズは、
物体側から像側へ順に、負の第１レンズ群Ｂ１、正の第２レンズ群Ｂ２を有し、
前記第１レンズ群より像側にあるレンズ群Ｂａにてフォーカシングし、
第１レンズ群Ｂ１の焦点距離をｆ１、第１レンズ群Ｂ１の厚さをＤ１、広角端におけるレンズ群Ｂａと像面との空気換算距離をＤａｗ、前記レンズ群Ｂａの焦点距離をｆａとしたとき、
−０．３＜ｆ１／Ｄ１＜０．０
０＜Ｄａｗ／Ｄ１＜０．３
−４．０＜｜ｆａ｜／ｆ１＜−２．４
なる条件式を満足することを特徴としている。
【発明の効果】
【００１５】
本発明によれば、超広画角で広角端にて立体物が歪まず、フォーカシング時の収差変動が小さいズームレンズの提供を実現できる。
【図面の簡単な説明】
【００１６】
【図１】実施例１のズームレンズにおいて無限遠物体にフォーカシングしたときのレンズ断面図
【図２（Ａ）】実施例１のズームレンズにおいて無限遠物体にフォーカシングしたときの広角端での縦収差図
【図２（Ｂ）】実施例１のズームレンズにおいて無限遠物体にフォーカシングしたときの中間のズーム位置での縦収差図
【図２（Ｃ）】実施例１のズームレンズにおいて無限遠物体にフォーカシングしたときの望遠端での縦収差図
【図３（Ａ）】実施例１のズームレンズにおいて近距離物体にフォーカシングしたときの広角端（基準像面から物体側に９０ｍｍ）での縦収差図
【図３（Ｂ）】実施例１のズームレンズにおいて近距離物体にフォーカシングしたときの中間のズーム位置（基準像面から物体側に１４０ｍｍ）での縦収差図
【図３（Ｃ）】実施例１のズームレンズにおいて近距離物体にフォーカシングしたときの望遠端（基準像面から物体側に１４０ｍｍ）での縦収差図
【図４】実施例２のズームレンズにおいて無限遠物体にフォーカシングしたときのレンズ断面図
【図５（Ａ）】実施例２のズームレンズにおいて無限遠物体にフォーカシングしたときの広角端望遠端での縦収差図
【図５（Ｂ）】実施例２のズームレンズにおいて無限遠物体にフォーカシングしたときの中間のズーム位置での縦収差図
【図５（Ｃ）】実施例２のズームレンズにおいて無限遠物体にフォーカシングしたときの望遠端での縦収差図
【図６（Ａ）】実施例２のズームレンズにおいて近距離物体にフォーカシングしたときの広角端（基準像面から物体側に１６０ｍｍ）での縦収差図
【図６（Ｂ）】実施例２のズームレンズにおいて近距離物体にフォーカシングしたときの中間のズーム位置（基準像面から物体側に２００ｍｍ）での縦収差図
【図６（Ｃ）】実施例２のズームレンズにおいて近距離物体にフォーカシングしたときの望遠端（基準像面から物体側に２００ｍｍ）での縦収差図
【図７】実施例３のズームレンズにおいて無限遠物体にフォーカシングしたときのレンズ断面図
【図８（Ａ）】実施例３のズームレンズにおいて無限遠物体にフォーカシングしたときの広角端での縦収差図
【図８（Ｂ）】実施例３のズームレンズにおいて無限遠物体にフォーカシングしたときの中間のズーム位置での縦収差図
【図８（Ｃ）】実施例３のズームレンズにおいて無限遠物体にフォーカシングしたときの望遠端での縦収差図
【図９（Ａ）】実施例３のズームレンズにおいて近距離物体にフォーカシングしたときの広角端（基準像面から物体側に１５０ｍｍ）での縦収差図
【図９（Ｂ）】実施例３のズームレンズにおいて近距離物体にフォーカシングしたときの中間のズーム位置（基準像面から物体側に２００ｍｍ）での縦収差図
【図９（Ｃ）】実施例３のズームレンズにおいて近距離物体にフォーカシングしたときの望遠端（基準像面から物体側に２００ｍｍ）での縦収差図
【図１０】本発明の撮像装置の要部概略図
【発明を実施するための形態】
【００１７】
［実施例に共通する説明］
以下、本発明の好ましい実施の形態を、添付の図面に基づいて詳細に説明する。
【００１８】
図１は実施例１のレンズ断面図である。図２は実施例１の無限遠に合焦したときの縦収差図である。図３は実施例１の近距離物体に合焦したときの縦収差図である。
図４は実施例２のレンズ断面図である。図５は実施例２の無限遠に合焦したときの縦収差図である。図６は実施例２の近距離物体に合焦したときの縦収差図である。
図７は実施例３のレンズ断面図である。図８は実施例３の無限遠に合焦したときの縦収差図である。図９は実施例２の近距離物体に合焦したときの縦収差図である。図１０は本発明の光学系を備えるカメラ（撮像装置）の概略図である。
【００１９】
各実施例の光学系は、デジタルスチルカメラ、デジタルビデオカメラ、銀塩フィルム用カメラ等の撮像装置（光学装置）に用いられる撮像光学系として好適なものである。レンズ断面図において、左方が物体側（前方）で、右方が像側（後方）である。尚、各実施例の光学系をプロジェクターなどの投射レンズとして用いても良い。このときは左方がスクリーン側、右方が被投射画像側となる。
【００２０】
レンズ断面図において、ＬＡは光学系である。Ｂｉは第ｉレンズ群である。ＳＰは開口絞りである。ＩＰは像面であり、デジタルビデオカメラやデジタルスチルカメラの撮影光学系として使用する際にはＣＣＤセンサやＣＭＯＳセンサなどの固体撮像素子（光電変換素子）の撮像面が、銀塩フィルム用カメラのときはフィルム面に相当する。
【００２１】
それぞれの縦収差図は、左から順に、球面収差、非点収差、歪曲、倍率色収差を表している。球面収差を示す図において、実線のｄはｄ線（５８７．６ｎｍ）、二点鎖線のｇはｇ線（４３５．８ｎｍ）を表している。また、非点収差を示す図において、実線のΔＳはｄ線のサジタル像面、破線のΔＭはｄ線のメリディオナル像面を表している。また、歪曲収差を示す図は、ｄ線における歪曲を表している。倍率色収差はｄ線に対するｇ線について表している。ＦｎｏはＦナンバー、ωは撮影画角の半画角（度）を示す。歪曲収差図は、理想像高をＹ＝２ｆ×ｔａｎ（ω／２）とし、それからのずれ量を示す。
【００２２】
次に各実施例の光学系ＬＡのレンズ構成について説明する。
【００２３】
［実施例１］
以下、図１を参照して、本発明の実施例１について説明する。
【００２４】
レンズ構成は物体側より像側へ順に、次のとおりである。負の屈折力の第１レンズ群Ｂ１、正の屈折力の第２レンズ群Ｂ２、正の屈折力の第３レンズ群Ｂ３より構成されている。第１レンズ群Ｂ１は、４枚の負レンズと１枚の正レンズから構成することで、広角端での非点収差と歪曲収差と倍率色収差を低減している。第２レンズ群Ｂ２は、開口絞り付近に複数の正レンズを配置することで、球面収差とコマ収差を低減している。第３レンズ群Ｂ３は、１枚の正レンズから構成され、フォーカス群である。
【００２５】
［実施例２］
以下、図４を参照して、本発明の実施例２について説明する。
【００２６】
レンズ構成は、物体側より像側へ順に、次のとおりである。負の屈折力の第１レンズ群Ｂ１、正の屈折力の第２レンズ群Ｂ２、正の屈折力の第３レンズ群Ｂ３、正の屈折力の第４レンズ群Ｂ４、負の屈折力の第５レンズ群Ｂ５より構成されている。第１レンズ群Ｂ１は、４枚の負レンズと１枚の正レンズから構成することで、広角端での非点収差と歪曲収差と倍率色収差を低減している。第２レンズ群Ｂ２は、開口絞り付近に複数の正レンズを配置することで、球面収差とコマ収差を低減している。第３レンズ群Ｂ３は、接合レンズから構成され、広角端と望遠端における軸上色収差を低減している。第４レンズ群Ｂ４は、絞りから離れた位置に複数の接合レンズを配置することで、広角端における倍率色収差を補正している。第５レンズ群Ｂ５は、１枚の負レンズから構成され、フォーカス群である。
【００２７】
［実施例３］
以下、図５、図６を参照して、本発明の実施例３について説明する。
【００２８】
レンズ構成は物体側より像側へ順に、次のとおりである。負の屈折力の第１レンズ群Ｂ１、正の屈折力の第２レンズ群Ｂ２、正の屈折力の第３レンズ群Ｂ３、負の屈折力の第４レンズ群Ｂ４より構成されている。第１レンズ群Ｂ１は、４枚の負レンズと１枚の正レンズから構成することで、広角端での非点収差と歪曲収差と倍率色収差を低減している。第２レンズ群Ｂ２は、開口絞り付近に複数の正レンズを配置することで、球面収差とコマ収差を低減している。第３レンズ群Ｂ３は、接合レンズを含み、広角端における倍率色収差を補正している。第４レンズ群Ｂ４は、接合レンズから構成され、フォーカス群である。
【００２９】
［レンズ構成の説明］
各実施例の光学系ＬＡは、物体側から像側へ順に、負の第１レンズ群Ｂ１、正の第２レンズ群Ｂ２を有する。そして、前記第１レンズ群より像側にあるレンズ群Ｂａにてフォーカシングする。第１レンズ群Ｂ１の焦点距離をｆ１、第１レンズ群Ｂ１の厚さをＤ１、広角端におけるレンズ群Ｂａと像面との空気換算距離をＤａｗ、前記レンズ群Ｂａの焦点距離をｆａとする。このとき、
−０．３＜ｆ１／Ｄ１＜０．０          ・・・（１）
０＜Ｄａｗ／Ｄ１＜０．３              ・・・（２）
−４．０＜｜ｆａ｜／ｆ１＜−２．４        ・・・（３）
なる条件式を満足する。
【００３０】
［条件式の説明］
次に前述の条件式の技術的意味について説明する。
【００３１】
条件式（１）は、広角端における立体物の歪みや、広角端における非点収差と歪曲収差の発生を低減するために、第１レンズ群の焦点距離と第１レンズ群の光軸上の厚さとの比を適切に定めたものである。
【００３２】
条件式（１）の下限値を超えて、第１レンズ群のパワーが弱くなると、広角端における焦点距離が大きくなり、広角端における立体物の歪みを低減することが困難になる。また、第１レンズ群の厚さが薄くなると、第１レンズ群Ｂ１負レンズの枚数を多く確保することができなくなり、歪曲収差と非点収差の発生を低減することが困難になる。
【００３３】
条件式（２）は、広角端におけるフォーカシング時の像面湾曲変動を低減するために、広角端におけるフォーカス群と像面との距離と、第１レンズ群の光軸上の厚さとの比を適切に定めたものである。
【００３４】
条件式（２）の上限値を超えて、広角端におけるフォーカス群と像面との距離が大きくなると、フォーカス群での軸上マージナル光線の射出高さが軸外主光線の射出高さに対して大きい比率になるために、広角端におけるフォーカシング時の像面湾曲変動を低減することが困難になる。
【００３５】
条件式（３）は、広角端におけるフォーカシング時の像面湾曲変動や繰出し量を低減するために、フォーカス群の焦点距離の絶対値と第１レンズ群の焦点距離との比を適切に定めたものである。
【００３６】
条件式（３）の上限値を超えて、フォーカス群のパワーが強くなると、フォーカス群での軸外主光線の入射角または射出角が大きくなり、フォーカシング時の像面湾曲変動を低減することが困難になる。
【００３７】
条件式（３）の下限値を超えて、フォーカス群のパワーが弱くなると、フォーカス敏感度が下がり、フォーカス群の繰出し量を小さくすることが困難になる。
【００３８】
尚、更に好ましくは、条件式（１）乃至（３）の数値範囲を以下のように設定するのが望ましい。
【００３９】
−０．３＜ｆ１／Ｄ１＜―０．２        ・・・（１ａ）
０．１０＜Ｄａｗ／Ｄ１＜０．２５      ・・・（２ａ）
−３．９＜｜ｆａ｜／ｆ１＜−２．６    ・・・（３ａ）
本発明において、更に好ましくは以下の条件式の１つ以上を満足することが望ましい。
【００４０】
第１レンズ群Ｂ１の最も像側の負レンズより像側にある１枚の負レンズのアッベ数をνｄ１ｎとする。第１レンズ群Ｂ１は、１枚以上の正の屈折力のレンズを有し、前記第１レンズ群の最も物体側面と最も物体側にある正レンズの物体側面との距離をＤ１ｐ、広角端におけるレンズ全長をＬｗとする。第２レンズ群の焦点距離をｆ２とする。望遠端における第１レンズ群と第２レンズ群の合成焦点距離をｆ１２ｔ、望遠端におけるレンズ全長をＬｔとする。前記第１レンズ群Ｂ１の最も物体側面と前記フォーカスレンズ群Ｂａの最も像側面の曲率半径をそれぞれｒ１、ｒａとする。広角端における全系の焦点距離をｆｗ、広角端における最大像高をＹｗとする。広角端における撮影半画角をωｗとする。また、アッベ数νｄは、Ｆ線（４８６．１ｎｍ）、Ｃ線（６５６．３ｎｍ）、ｄ線（５８７．６ｎｍ）に対する材料の屈折力をそれぞれＮＦ、ＮＣ、Ｎｄとするとき、
νｄ＝（Ｎｄ−１）／（ＮＦ−ＮＣ）
で表される数値である。
【００４１】
νｄ１ｎ＞６０                                    ・・・（４）
０．２＜Ｄ１ｐ／Ｌｗ＜０．５                      ・・・（５）
−１．０＜ｆ１／ｆ２＜−０．２                    ・・・（６）
０．０＜｜ｆ１２ｔ｜／Ｌｔ＜１．０                ・・・（７）
−１．０＜（ｒ１＋ｒａ）／（ｒ１―ｒａ）＜１．０  ・・・（８）
１．４＜Ｙｗ／ｆｗ＜４．０                        ・・・（９）
ωｗ＞６０°                                      ・・・（１０）
次に前述の各条件式の技術的意味について説明する。
【００４２】
条件式（４）は、広角端における倍率色収差の発生低減のために、第１レンズ群に含まれる負レンズのアッベ数を適切に定めたものである。
【００４３】
条件式（４）の下限値を超えて、アッベ数が小さくなると、広角端における倍率色収差の発生を低減することが困難になる。
【００４４】
条件式（５）は、広角端における非点収差や歪曲収差の発生低減のために、第１レンズ群の最物体側面からの最物体側にある正レンズの距離と、広角端におけるレンズ全長の比を適切に定めたものである。
【００４５】
条件式（５）の上限値を超えて、前記正レンズが前玉から遠くなると、望遠端における第２レンズ群Ｂ２が前玉から遠くなり、望遠端における球面収差とコマ収差の発生を低減することが困難になる。
【００４６】
条件式（５）の下限値を超えて、前記正レンズが前玉に近くなると、第１レンズ群における負レンズの枚数が少なくなり、広角端における非点収差や歪曲収差の発生を低減することが困難になる。
【００４７】
条件式（６）は、広角端において広範囲を撮影するために、第１レンズ群と第２レンズ群の焦点距離比を適切に定めたものである。
【００４８】
条件式（６）の上限値を超えて、第１レンズ群のパワーが強くなると、広角端における全系の焦点距離が小さくなり、広角端における非点収差や歪曲収差の発生を低減することが困難になる。
【００４９】
条件式（６）の下限値を超えて、第１レンズ群のパワーが弱くなると、広角端における全系の焦点距離が大きくなり、広角端において広範囲を撮影することが困難になる。
【００５０】
条件式（７）は、望遠端における球面収差とコマ収差の発生低減のために、望遠端における第１レンズ群と第２レンズ群の合成焦点距離と望遠端におけるレンズ全長との比を適切に定めたものである。
【００５１】
条件式（７）の上限値を超えて、望遠端における第１レンズ群と第２レンズ群の合成焦点距離が大きくなると、第２レンズ群のパワーが強くなり、望遠端における球面収差とコマ収差の発生を低減することが困難になる。
【００５２】
条件式（８）は、広角端における非点収差や歪曲収差の発生低減のために、第１レンズ群の最物体側面とフォーカスレンズ群の最も像側面の曲率半径の関係を適切に定めたものである。
【００５３】
条件式（８）の上限値を超えて、第１レンズ群の最物体側面が物体側に凹面を向けると、広角端における非点収差と歪曲収差の発生を低減することが困難になる。
【００５４】
条件式（８）の下限値を超えて、フォーカシングレンズ群の最像側面が像側に凹面を向けると、広角端における非点収差と歪曲収差の発生を低減することが困難になる。
【００５５】
条件式（９）は、広角端における立体物の歪みを低減するために、広角端における撮像装置の最大像高と広角端における全系の焦点距離の比を適切に定めたものである。
【００５６】
条件式（９）の上限値を超えて、広角端における全系の焦点距離が小さくなると、画面周辺で立体物がサジタル方向に引伸ばされて歪みを小さくすることが困難になる。
【００５７】
条件式（９）の下限値を超えて、広角端における全系の焦点距離が大きくなると、画面周辺で立体物がサジタル方向に圧縮されて歪みを小さくすることが困難になる。
【００５８】
条件式（１０）は、広角端において広範囲を撮影するために、広角端における撮影半画角を適切に定めたものである。
【００５９】
条件式（１０）の下限値を超えて、撮影半画角が小さくなると、広範囲を撮影することが困難になる。
【００６０】
尚、各実施例において更に好ましくは、条件式（４）乃至（６）の数値範囲を以下のように設定するのが望ましい。
【００６１】
νｄ１ｎ＞６５                                    ・・・（４ａ）
０．２５＜Ｄ１ｐ／Ｌｗ＜０．４                    ・・・（５ａ）
−０．６＜ｆ１／ｆ２＜−０．４                    ・・・（６ａ）
０．１＜｜ｆ１２ｔ｜／Ｌｔ＜０．８                ・・・（７ａ）
−０．５＜（ｒ１＋ｒａ）／（ｒ１―ｒａ）＜０．５  ・・・（８ａ）
１．６＜Ｙｗ／ｆｗ＜３．０                        ・・・（９ａ）
ωｗ＞７０°                                      ・・・（１０ａ）
以上、本発明の好ましい実施形態について説明したが、本発明はこれらの実施形態に限定されず、その要旨の範囲内で種々の変形及び変更が可能である。
【００６２】
次に図１０の撮像装置としての一眼レフカメラについて説明する。
【００６３】
図１０において、１０は実施例１乃至３までの光学系１よりなる撮像光学系である。撮像光学系１０は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。
【００６４】
観察者は、その正立像を、接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮像光学系１０によって像が形成される。
【００６５】
このように光学系を一眼レフカメラ交換レンズ等の撮像光学系として適用することにより、高い光学性能を有する撮像装置を実現している。尚、本発明の光学系は、デジタルカメラ・ビデオカメラ・銀塩フィルム用カメラ等の他に望遠鏡、双眼鏡、複写機、プロジェクター等の光学機器にも適用できる。またクイックリターンミラーのないミラーレスの一眼レフカメラにも適用することができる。
【００６６】
以下に、実施例１乃至３に各々対応する数値データ１乃至３を示す。各数値データにおいて、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれｄ線を基準とした屈折率、アッベ数を示す。ＢＦは空気換算でのバックフォーカスである。レンズ全長は第１レンズ面から最終レンズ面までの距離にバックフォーカスの値を加えた値である。
【００６７】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ａ４、Ａ６、Ａ８、Ａ１０を各次数の非球面係数とするとき、
【００６８】
【数１】
2020204635.tif 000003
【００６９】
で表す。なお、各非球面係数における「ｅ±ＸＸ」は「×１０±ＸＸ」を意味している。また、表１に前述の各条件式に相当する数値を示す。
【００７０】
（数値データ１）
単位mm
面データ
面番号       r        d      nd         vd
1         17.146    0.60   2.00100    29.1           
2          8.571    2.62                             
3         11.472    0.60   1.88202    37.2           
4*         6.266    2.24                             
5         12.959    0.50   1.88213    37.2           
6          4.809    3.91                             
7         -7.934    0.50   1.49700    81.5           
8         14.659    0.13                             
9         12.951    1.87   1.87996    21.5           
10        -32.380  (可変)                             
11          8.118    0.40   1.90792    35.4           
12          3.017    1.85   1.82760    41.2           
13*       -24.863    0.61                             
14(絞り)    ∞       0.89                             
15         18.146    1.61   1.49700    81.5           
16        -12.114    0.20                             
17          7.718    0.40   2.00169    22.1           
18          3.891    1.30   1.49700    81.5           
19          5.940    0.66                             
20         14.844    0.40   1.96805    31.1           
21          5.165    2.18   1.49700    81.5           
22        -21.043  (可変)                             
23         22.521    2.85   1.49710    81.6           
24*       -10.153  (可変)                             
25          ∞       1.20   1.51633    64.1           
26          ∞     (可変)                             
像面        ∞   
非球面データ
第4面
K = 0.00000e+000  A 4=-4.10610e-004  A 6= 1.53658e-005  A 8=-1.88021e-006  A10= 6.83178e-008  A12=-1.07174e-009  
第13面
K = 0.00000e+000  A 4= 5.34267e-004  A 6=-1.74085e-005  A 8=-1.65239e-006  
第24面
K = 0.00000e+000  A 4= 6.30992e-004  A 6=-2.28136e-005  A 8= 3.23877e-007  
各種データ
ズーム比      2.61 
広角     中間     望遠
焦点距離       2.39     4.30     6.26  
Fナンバー      2.88     4.30     5.69  
画角          62.75    47.25    36.63  
像高           4.65     4.65     4.65  
レンズ全長    35.59    36.86    40.09  
BF             2.93     2.17     2.09  
d10            5.62     2.03     0.40  
d22            0.71     6.33    11.28  
d24            1.84     1.08     1.00  
d26            0.30     0.30     0.30  
ズームレンズ群データ
群  始面    焦点距離  
1    1      -3.72  
2   11       7.57  
3   23      14.50  
（数値データ２）
単位mm
面データ
面番号       r        d      nd         vd
1         24.193    1.60   2.00100    29.1           
2         14.435    4.39                             
3         18.355    1.00   2.00100    29.1           
4         10.197    5.27                             
5         28.217    0.70   2.00100    29.1           
6          9.293    4.66                             
7        -20.466    0.50   1.49700    81.5           
8         12.424    2.98   1.90938    19.8           
9        215.455  (可変)                             
10(絞り)    ∞       0.00                             
11*        19.415    1.86   1.75737    45.1           
12*       -13.668    0.10                             
13        -14.439    0.50   1.84614    23.8           
14       -101.229    0.10                             
15          8.127    1.44   1.88536    37.0           
16         12.369  (可変)                             
17         15.140    0.50   1.88300    40.8           
18          5.387    2.67   1.49700    81.5           
19        -21.972  (可変)                             
20         10.066    0.50   1.88300    40.8           
21          5.845    3.01   1.49700    81.5           
22        -15.318    0.43                             
23         -9.138    0.50   1.88300    40.8           
24         17.509    0.55                             
25        140.392    2.29   1.49700    81.5           
26        -11.995    0.10                             
27         19.475    4.44   1.49700    81.5           
28         -9.328  (可変)                             
29         -8.265    0.50   1.88300    40.8           
30*       -19.666  (可変)                             
31          ∞       2.04   1.51633    64.1           
32          ∞     (可変)                             
像面        ∞   
非球面データ
第11面
K = 0.00000e+000  A 4=-1.13424e-005  A 6= 8.40425e-007  
第12面
K = 0.00000e+000  A 4= 7.50695e-005  A 6= 4.43624e-007  
第30面
K = 0.00000e+000  A 4=-7.19733e-006  A 6=-1.14667e-006  
各種データ
ズーム比      2.18 
広角     中間     望遠
焦点距離       4.06     6.46     8.85  
Fナンバー      2.88     3.50     4.15  
画角          62.75    50.67    41.72  
像高           7.89     7.89     7.89  
レンズ全長    58.81    55.36    56.06  
BF             2.97     4.56     8.29  
d 9           12.20     4.77     1.49  
d16            1.74     0.36     0.27  
d19            0.49     3.14     2.43  
d28            0.81     1.94     2.99  
d30            1.33     2.92     6.65  
d32            0.30     0.30     0.30  
ズームレンズ群データ
群  始面    焦点距離  
1    1      -6.10  
2   10      11.46  
3   17      94.84  
4   20      18.64  
5   29     -16.48  
（数値データ３）
単位mm
面データ
面番号       r        d      nd         vd
1         23.346    1.60   2.00100    29.1           
2         12.865    4.24                             
3         17.016    1.00   2.00100    29.1           
4          8.929    4.69                             
5         26.206    0.70   2.00100    29.1           
6          8.609    4.10                             
7        -16.408    0.50   1.49700    81.5           
8         11.777    3.01   1.88120    21.9           
9        -80.349  (可変)                             
10*        20.849    1.53   1.80183    41.0           
11        -35.492    0.46                             
12(絞り)    ∞       1.87                             
13          9.038    1.93   1.49700    81.5           
14*       -18.460    0.10                             
15         27.050    0.50   2.00248    25.5           
16          6.398    1.53   1.49700    81.5           
17         11.194  (可変)                             
18         14.969    1.66   1.49700    81.5           
19         34.923    0.10                             
20         13.375    3.94   1.49700    81.5           
21         -8.181    0.50   1.88300    40.8           
22        -14.014  (可変)                             
23        -19.080    2.25   1.49700    81.5           
24         -8.823    0.50   1.88300    40.8           
25*       -34.085  (可変)                             
26          ∞       2.04   1.51633    64.1           
27          ∞     (可変)                             
像面        ∞   
非球面データ
第10面
K = 0.00000e+000  A 4=-1.85173e-004  A 6=-1.32420e-006  
第14面
K = 0.00000e+000  A 4= 2.20006e-005  A 6= 1.07267e-006  
第25面
K = 0.00000e+000  A 4= 2.65490e-004  
各種データ
ズーム比      2.18 
広角     中間     望遠
焦点距離       4.06     6.41     8.85  
Fナンバー      2.88     3.62     4.54  
画角          62.75    50.90    41.72  
像高           7.89     7.89     7.89  
レンズ全長    54.31    51.24    52.31  
BF             4.36     7.71    13.20  
d 9            9.21     2.76     0.45  
d17            3.56     2.67     1.27  
d22            0.47     1.39     0.67  
d25            2.73     6.08    11.57  
d27            0.29     0.29     0.29  
ズームレンズ群データ
群  始面    焦点距離  
1    1      -5.92  
2   10      13.34  
3   18      14.74  
4   23     -22.68  
【００７１】
【表１】
2020204635.tif 000004
【符号の説明】
【００７２】
ＬＡ  光学系、Ｂ１  第１レンズ群、Ｂ２  第２レンズ群、
Ｂ３  第３レンズ群、Ｂ４  第４レンズ群、ＳＰ  開口絞り
【図１】
2020204635.tif 000005
【図２（Ａ）】
2020204635.tif 000006
【図２（Ｂ）】
2020204635.tif 000007
【図２（Ｃ）】
2020204635.tif 000008
【図３（Ａ）】
2020204635.tif 000009
【図３（Ｂ）】
2020204635.tif 000010
【図３（Ｃ）】
2020204635.tif 000011
【図４】
2020204635.tif 000012
【図５（Ａ）】
2020204635.tif 000013
【図５（Ｂ）】
2020204635.tif 000014
【図５（Ｃ）】
2020204635.tif 000015
【図６（Ａ）】
2020204635.tif 000016
【図６（Ｂ）】
2020204635.tif 000017
【図６（Ｃ）】
2020204635.tif 000018
【図７】
2020204635.tif 000019
【図８（Ａ）】
2020204635.tif 000020
【図８（Ｂ）】
2020204635.tif 000021
【図８（Ｃ）】
2020204635.tif 000022
【図９（Ａ）】
2020204635.tif 000023
【図９（Ｂ）】
2020204635.tif 000024
【図９（Ｃ）】
2020204635.tif 000025
【図１０】
2020204635.tif 000026